(57)【要約】      （修正有）【課題】ワーク切断後のワイヤの引き抜きにおいて、ワークにワイヤが引っ掛かってソーマークが生じたり、ワイヤの断線が発生したりすることがないワークの切断方法及びワイヤソーを提供する。【解決手段】固定砥粒ワイヤ２を、複数の溝付ローラ３、３’に巻きかけることによってワイヤ列３０を形成し、往復走行させながら、接合部材２０を介してワーク保持手段で保持したワークＷを、切り込み送りすることによって、ワークＷを複数の箇所で同時に切断するワークの切断方法であって、接合部材２０として、その一部が砥石であるものを用い、ワークＷの切断終了後、かつ、ワイヤ列３０からワークＷを引き抜く前に、砥石に押し付けて固定砥粒ワイヤ２を往復走行させ、固定砥粒ワイヤ２の固定砥粒除去工程における、ワイヤ速度が１００ｍ／ｍｉｎ．以下、かつ、荷重が固定砥粒ワイヤ１本当たり３０ｇ以上であることを特徴とするワークの切断方法。【選択図】図１
2020110886.tif 000002
【特許請求の範囲】
【請求項１】
表面に砥粒が固着された固定砥粒ワイヤを、複数の溝付ローラに巻きかけることによってワイヤ列を形成し、前記固定砥粒ワイヤを軸方向に往復走行させながら、ワークに貼り付けられた接合部材を介してワーク保持手段で保持したワークを、前記ワイヤ列に対して切り込み送りすることによって、前記ワークを軸方向に並ぶ複数の箇所で同時に切断するワイヤソーによるワークの切断方法であって、
前記接合部材として、その一部が砥石であるものを用い、
前記ワークの切断終了後、かつ、前記ワイヤ列から前記ワークを引き抜く前に、前記砥石に前記ワイヤ列を押し付けて前記固定砥粒ワイヤを往復走行させ、前記固定砥粒ワイヤの固定砥粒を除去する固定砥粒除去工程を有し、
該固定砥粒除去工程における、前記固定砥粒ワイヤのワイヤ速度が１００ｍ／ｍｉｎ．以下であり、かつ、前記ワイヤ列を前記砥石に押し付ける荷重が前記固定砥粒ワイヤ１本当たり３０ｇ以上であることを特徴とするワークの切断方法。
【請求項２】
前記砥石として、ＷＡ砥石を用いることを特徴とする請求項１に記載のワークの切断方法。
【請求項３】
請求項１又は請求項２に記載のワークの切断方法であって、前記固定砥粒除去工程において前記固定砥粒ワイヤの固定砥粒を除去した部分で、前記ワイヤ列から前記ワークを引き抜くことを特徴とするワークの切断方法。
【請求項４】
表面に砥粒が固着された固定砥粒ワイヤが、複数の溝付ローラに巻きかけられることによって形成されたワイヤ列と、ワークに貼り付けられた接合部材を介してワーク保持手段によりワークを保持しながら、前記ワークを前記ワイヤ列に押し当てるワーク送り機構とを具備し、前記固定砥粒ワイヤを軸方向に往復走行させながら、前記ワイヤ列に対して前記ワーク送り機構により前記ワークを切り込み送りすることにより、前記ワークを軸方向に並ぶ複数の箇所で同時に切断するワイヤソーであって、
前記接合部材は、その一部に砥石を有し、
前記砥石に前記ワイヤ列を押し付けて前記固定砥粒ワイヤを往復走行させて前記固定砥粒ワイヤの固定砥粒を除去する手段を具備し、
該固定砥粒を除去する時の前記固定砥粒ワイヤのワイヤ速度が１００ｍ／ｍｉｎ．以下であり、かつ、前記ワイヤ列を前記砥石に押し付ける荷重が前記固定砥粒ワイヤ１本当たり３０ｇ以上のものであることを特徴とするワイヤソー。
【請求項５】
前記砥石が、ＷＡ砥石であることを特徴とする請求項４に記載のワイヤソー。
【請求項６】
請求項４又は請求項５に記載のワイヤソーであって、前記固定砥粒を除去する手段により前記固定砥粒ワイヤの固定砥粒を除去した部分で、前記ワイヤ列から前記ワークを引き抜くよう制御する制御手段を具備するものであることを特徴とするワイヤソー。
【発明の詳細な説明】
【技術分野】
【０００１】
本発明は、ワークの切断方法及びワイヤソーに関する。
【背景技術】
【０００２】
従来、シリコンインゴットや化合物半導体インゴットなどからウェーハを切り出す手段として、ワイヤソーが知られている。このワイヤソーでは、複数のローラの周囲に切断用ワイヤが多数巻き掛けられることによりワイヤ列が形成されており、その切断用ワイヤが軸方向に高速駆動され、かつ、スラリが適宜供給されながら前記ワイヤ列に対してワークが切り込み送りされることにより、このワークが各ワイヤの位置で同時に切断されるようにしたものである（例えば、特許文献１参照）。
【０００３】
ここで、図６に、従来の一般的なワイヤソーの一例の概略図を示す。図６に示すように、このワイヤソー１０１は、主に、ワークＷ’を切断するためのワイヤ１０２、ワイヤ１０２を巻掛けた溝付ローラ１０３、１０３’、ワイヤ１０２を複数の溝付ローラ１０３、１０３’に巻掛けることで形成したワイヤ列１３０、ワイヤ１０２の張力を調整する張力調整機構１０４、切断されるワークＷ’を下方へ送り出すワーク送り機構１０５、切断時にスラリを供給するスラリ供給機構１０６で構成されている。
【０００４】
ワイヤ１０２は、一方のワイヤリール１０７から繰り出され、トラバーサ１０８、プーリー１０９、張力調整機構１０４を経て、溝付ローラ１０３、１０３’に３００〜５００回程度巻掛けられた後、もう一方の張力調整機構１０４’、プーリー１０９’、トラバーサ１０８’を経てワイヤリール１０７’に巻き取られている。
【０００５】
また、溝付ローラ１０３、１０３’は鉄鋼製円筒の周囲にポリウレタン樹脂を圧入し、その表面に略一定のピッチで溝を切ったローラであり、巻掛けられたワイヤ１０２が溝付ローラ駆動モータ１１０によって、一方向あるいは、予め定められた周期で往復方向に駆動できるようになっている。
【０００６】
また、図６のワークＷ’を下方へ送り出すワーク送り機構１０５は、図７に示す従来の一般的なワイヤソーで用いられるワーク保持手段のように、ワーク保持部１１２、ワークプレート１１３から構成されるワーク保持手段１１４を有しており、ワークプレート１１３には、ワークＷ’に貼り付けられた接合部材（ビーム）１２０を介してワークＷ’が接着される。
【０００７】
ワークＷ’の切断時には、ワーク送り機構１０５によってワークＷ’は保持されつつ押し下げられ、溝付ローラ１０３、１０３’に巻掛けられたワイヤ列１３０に送り出される。このようなワイヤソー１０１を用い、ワイヤ１０２に張力調整機構１０４を用いて適当な張力をかけて、駆動用モータ１１１、１１１’によりワイヤ１０２を往復方向に走行させながら、スラリ供給機構１０６からスラリを供給し、ワーク送り機構１０５でワークＷ’を切り込み送りすることでワークＷ’を切断する。
【０００８】
一方、砥粒を含むスラリを使用せず、代わりにダイヤモンド砥粒等をワイヤの表面に固着した固定砥粒ワイヤを使用して、ワークを切断する方法も知られており、直径１５０ｍｍ程度以下の小直径インゴットの切断には一部で実用化している。
【０００９】
この固定砥粒ワイヤによる切断では、図６に示したワイヤソーの鋼線ワイヤの代わりに固定砥粒ワイヤを装着し、スラリを砥粒が含まれない冷却水などのクーラントに変えることで、一般的なワイヤソーをそのまま使用することができる。
【先行技術文献】
【特許文献】
【００１０】
【特許文献１】特開平９−２６２８２６号公報
【発明の概要】
【発明が解決しようとする課題】
【００１１】
固定砥粒ワイヤによる切断では、遊離砥粒を使用していないため、環境面からも産業廃棄物が少ないという利点がある。また、加工速度が速いという利点もあり、遊離砥粒を利用したワイヤソーによる加工と比べて便利な点が多い。しかしながら、ワイヤソーでは、図６に示すように、溝付ローラ１０３、１０３’に巻掛けられた１本のワイヤ１０２に対しワークＷ’を押しつけて移動させて切断するため、切断終了時にワークＷ’はワークＷ’を押し付けたワイヤ１０２の下側へ位置している。そのため、ワークＷ’を取り出すためには、ワークＷ’を上方へ移動させることにより、ワイヤ１０２を、切断されてウェーハ状となったワークＷ’の間隙を通過させて相対的に下側へ引き抜く必要がある。
【００１２】
ワイヤを引き抜く際、遊離砥粒を用いたワイヤソーの場合は、図８（ａ）に示すように、遊離砥粒Ｇの幅の分だけワイヤ１０２とワークＷ’との間に隙間（クリアランス）ができるため、ワイヤ１０２の抜き取りは比較的容易であった。
【００１３】
しかし、図８（ｂ）に示すように、固定砥粒を用いたワイヤソーの場合、固定砥粒ワイヤ４０２とワークＷ’との間には隙間が生じないため、固定砥粒ワイヤ４０２が抜け難い。さらに、固定砥粒ワイヤの固定砥粒自体が切断能力をもつため、固定砥粒ワイヤ４０２がワークＷ’に切り込んでいってしまい、固定砥粒ワイヤ４０２の引き抜きをより困難にしていた。よって、ワークＷ’に引っ掛かって固定砥粒ワイヤ４０２が浮き上がり、この状態で固定砥粒ワイヤ４０２を抜こうとすると、ワーク切断面がダメージを受けて当該切断面に、所謂、ソーマークが生じ、これによってＷａｒｐが悪化して品質を損なってしまう。固定砥粒ワイヤ４０２の浮き上がりがさらに大きくなった場合には、ワイヤ断線に至ることがある。ワイヤ断線が発生した場合には、固定砥粒ワイヤを溝付ローラに巻掛け直す手間が必要となり、また巻掛け直す分の固定砥粒ワイヤが余分に必要になるなど損失が大きい。
【００１４】
本発明は前述のような問題に鑑みてなされたもので、ワーク切断後の固定砥粒ワイヤの引き抜きにおいて、ワークに固定砥粒ワイヤが引っ掛かってソーマークが生じたり、固定砥粒ワイヤの断線が発生したりすることがないワークの切断方法及びワイヤソーを提供することを目的とする。
【課題を解決するための手段】
【００１５】
上記目的を達成するために、本発明は、表面に砥粒が固着された固定砥粒ワイヤを、複数の溝付ローラに巻きかけることによってワイヤ列を形成し、前記固定砥粒ワイヤを軸方向に往復走行させながら、ワークに貼り付けられた接合部材を介してワーク保持手段で保持したワークを、前記ワイヤ列に対して切り込み送りすることによって、前記ワークを軸方向に並ぶ複数の箇所で同時に切断するワイヤソーによるワークの切断方法であって、
前記接合部材として、その一部が砥石であるものを用い、
前記ワークの切断終了後、かつ、前記ワイヤ列から前記ワークを引き抜く前に、前記砥石に前記ワイヤ列を押し付けて前記固定砥粒ワイヤを往復走行させ、前記固定砥粒ワイヤの固定砥粒を除去する固定砥粒除去工程を有し、
該固定砥粒除去工程における、前記固定砥粒ワイヤのワイヤ速度が１００ｍ／ｍｉｎ．以下であり、かつ、前記ワイヤ列を前記砥石に押し付ける荷重が前記固定砥粒ワイヤ１本当たり３０ｇ以上であることを特徴とするワークの切断方法を提供する。
【００１６】
このようなワークの切断方法であれば、ワークの切断終了後、かつ、ワイヤ列からワークを引き抜く前に、固定砥粒ワイヤ表面の固定砥粒を除去することにより、ワークとの間に隙間（クリアランス）を形成することができる。また、切断能力を持つ固定砥粒を除去することで、固定砥粒ワイヤがワークに切り込んでいくことを防止できる。これらにより、ワークを固定砥粒ワイヤに引っ掛けることなく引き抜くことができ、ワークに固定砥粒ワイヤが引っ掛かってソーマークが生じたり、固定砥粒ワイヤの断線が発生したりすることを避けることができる。
【００１７】
また、このとき、前記砥石として、ＷＡ砥石を用いることが好ましい。
【００１８】
このように、砥石としてＷＡ（Ｗｈｉｔｅ  Ａｌｕｎｄｕｍ）砥石を用いれば、固定砥粒ワイヤ表面の固定砥粒を効果的に除去可能であり、固定砥粒ワイヤの引っ掛かりの発生をより確実に防止しながら、ワークの引き抜きを行うことができる。
【００１９】
また、上記記載のワークの切断方法であって、前記固定砥粒除去工程において前記固定砥粒ワイヤの固定砥粒を除去した部分で、前記ワイヤ列から前記ワークを引き抜くことが好ましい。
【００２０】
このようなワークの切断方法であれば、ワークを引き抜く箇所を、固定砥粒ワイヤ表面の固定砥粒を除去した部分とするため、固定砥粒ワイヤの引っ掛かりの発生をさらに確実に防止しながら、ワークの引き抜きを行うことができる。
【００２１】
また、本発明は、表面に砥粒が固着された固定砥粒ワイヤが、複数の溝付ローラに巻きかけられることによって形成されたワイヤ列と、ワークに貼り付けられた接合部材を介してワーク保持手段によりワークを保持しながら、前記ワークを前記ワイヤ列に押し当てるワーク送り機構とを具備し、前記固定砥粒ワイヤを軸方向に往復走行させながら、前記ワイヤ列に対して前記ワーク送り機構により前記ワークを切り込み送りすることにより、前記ワークを軸方向に並ぶ複数の箇所で同時に切断するワイヤソーであって、
前記接合部材は、その一部に砥石を有し、
前記砥石に前記ワイヤ列を押し付けて前記固定砥粒ワイヤを往復走行させて前記固定砥粒ワイヤの固定砥粒を除去する手段を具備し、
該固定砥粒を除去する時の前記固定砥粒ワイヤのワイヤ速度が１００ｍ／ｍｉｎ．以下であり、かつ、前記ワイヤ列を前記砥石に押し付ける荷重が前記固定砥粒ワイヤ１本当たり３０ｇ以上のものであることを特徴とするワイヤソーを提供する。
【００２２】
本発明のワイヤソーは、固定砥粒ワイヤ表面の固定砥粒を除去する手段を具備するために、ワークとの間に隙間を形成し、かつ、切断能力を持つ固定砥粒を除去することが可能となり、固定砥粒ワイヤがワークに切り込んでいくことを防止できる。これらにより、ワークを固定砥粒ワイヤに引っ掛けることなく引き抜くことができ、ワークに固定砥粒ワイヤが引っ掛かってソーマークが生じたり、固定砥粒ワイヤの断線が発生したりすることを避けることができる。
【００２３】
また、このとき、前記砥石が、ＷＡ砥石であることが好ましい。
【００２４】
このようなものであれば、固定砥粒ワイヤ表面の固定砥粒を効果的に除去可能となり、固定砥粒ワイヤの引っ掛かりの発生をより確実に防止しながら、ワークの引き抜きを行うことができる。
【００２５】
また、上記記載のワイヤソーであって、前記固定砥粒を除去する手段により前記固定砥粒ワイヤの固定砥粒を除去した部分で、前記ワイヤ列から前記ワークを引き抜くよう制御する制御手段を具備するものであることが好ましい。
【００２６】
このようなものであれば、ワークを引き抜く箇所が、固定砥粒ワイヤ表面の固定砥粒が除去した部分となるよう制御する制御手段を具備するため、固定砥粒ワイヤの引っ掛かりの発生をさらに確実に防止しながら、ワークの引き抜きを行うことができる。
【発明の効果】
【００２７】
以上のように、本発明のワークの切断方法及びワイヤソーであればワイヤ列からワークを引き抜く際に、ワークを固定砥粒ワイヤに引っ掛けることなく引き抜くことができ、ワークに固定砥粒ワイヤが引っ掛かってソーマークが生じたり、固定砥粒ワイヤの断線が発生したりすることを避けることができる。
【図面の簡単な説明】
【００２８】
【図１】本発明のワークの切断方法に用いることができるワイヤソーの一例を示す概略図である。
【図２】（ａ）ワークの切断終了時のワークと固定砥粒ワイヤの位置関係を示す図である。（ｂ）ワイヤの引っ掛かり発生時のワークと固定砥粒ワイヤの状態を示す図である。（ｃ）ワークの引き抜き終了時のワークと固定砥粒ワイヤの位置関係を示す図である。
【図３】本発明のワイヤソーのワーク保持手段の一例を示す概略図である。
【図４】実験例１、２で用いた、砥石を貼り付けた保持手段を示す概略図である。
【図５】（ａ）実験例１における往復運動のテスト前の固定砥粒ワイヤのＳＥＭ観察結果である。（ｂ）実験例１における往復運動のテスト後の固定砥粒ワイヤのＳＥＭ観察結果である。
【図６】一般的なワイヤソーの一例を示す概略図である。
【図７】一般的なワイヤソーのワーク保持手段の一例を示す概略図である。
【図８】（ａ）遊離砥粒を用いたワイヤソーの場合（遊離砥粒方式）における、ワイヤの抜き取りを示す説明図。（ｂ）固定砥粒ワイヤを用いたワイヤソーの場合（固定砥粒方式）における、ワイヤの抜き取りを示す説明図。
【図９】比較例で用いたワーク保持手段を示す概略図である。
【発明を実施するための形態】
【００２９】
以下、本発明について実施の形態を説明するが、本発明はこれに限定されるものではない。
【００３０】
上記のように、固定砥粒ワイヤを用いてワークの切断を行う場合、ワイヤ列から切断後のワークを引き抜く場合に、固定砥粒ワイヤがワークに引っ掛かり、切断面にソーマークが生じたり、固定砥粒ワイヤが断線したりするという問題があった。
【００３１】
そこで、本発明者はこのような問題を解決すべく鋭意検討を重ねた。その結果、固定砥粒ワイヤには、例えばダイヤモンドのような非常に硬く、摩耗しにくい砥粒が使われているが、固定砥粒ワイヤの砥粒を十分に除去すれば、固定砥粒ワイヤがワークに引っ掛かることなくワークを引き抜くことができることを発見した。この発見から、ワーク切断後、砥石にワイヤ列を押し付けて固定砥粒ワイヤを往復走行することで、固定砥粒を除去する方法の発想に至り本発明を完成させた。
【００３２】
即ち、本発明は、表面に砥粒が固着された固定砥粒ワイヤを、複数の溝付ローラに巻きかけることによってワイヤ列を形成し、前記固定砥粒ワイヤを軸方向に往復走行させながら、ワークに貼り付けられた接合部材を介してワーク保持手段で保持したワークを、前記ワイヤ列に対して切り込み送りすることによって、前記ワークを軸方向に並ぶ複数の箇所で同時に切断するワイヤソーによるワークの切断方法であって、
前記接合部材として、その一部が砥石であるものを用い、
前記ワークの切断終了後、かつ、前記ワイヤ列から前記ワークを引き抜く前に、前記砥石に前記ワイヤ列を押し付けて前記固定砥粒ワイヤを往復走行させ、前記固定砥粒ワイヤの固定砥粒を除去する固定砥粒除去工程を有し、
該固定砥粒除去工程における、前記固定砥粒ワイヤのワイヤ速度が１００ｍ／ｍｉｎ．以下であり、かつ、前記ワイヤ列を前記砥石に押し付ける荷重が前記固定砥粒ワイヤ１本当たり３０ｇ以上であることを特徴とするワークの切断方法である。
【００３３】
また、本発明は、表面に砥粒が固着された固定砥粒ワイヤが、複数の溝付ローラに巻きかけられることによって形成されたワイヤ列と、ワークに貼り付けられた接合部材を介してワーク保持手段によりワークを保持しながら、前記ワークを前記ワイヤ列に押し当てるワーク送り機構とを具備し、前記固定砥粒ワイヤを軸方向に往復走行させながら、前記ワイヤ列に対して前記ワーク送り機構により前記ワークを切り込み送りすることにより、前記ワークを軸方向に並ぶ複数の箇所で同時に切断するワイヤソーであって、
前記接合部材は、その一部に砥石を有し、
前記砥石に前記ワイヤ列を押し付けて前記固定砥粒ワイヤを往復走行させて前記固定砥粒ワイヤの固定砥粒を除去する手段を具備し、
該固定砥粒を除去する時の前記固定砥粒ワイヤのワイヤ速度が１００ｍ／ｍｉｎ．以下であり、かつ、前記ワイヤ列を前記砥石に押し付ける荷重が前記固定砥粒ワイヤ１本当たり３０ｇ以上のものであることを特徴とするワイヤソーである。
【００３４】
まず、本発明のワークの切断方法に用いることができるワイヤソーについて、図１を参照して説明する。図１に示すように、本発明のワイヤソー１は、ワークＷを切断するための固定砥粒ワイヤ２、固定砥粒ワイヤ２を巻掛けた溝付ローラ３、３’、固定砥粒ワイヤ２を複数の溝付ローラ３、３’に巻掛けることで形成したワイヤ列３０、固定砥粒ワイヤ２の張力を調整する張力調整機構４、ワークに貼り付けられた接合部材２０を介してワーク保持手段によりワークを保持しながら、切断されるワークＷを下方へ送り出すワーク送り機構５、切断時に冷却水などのクーラントを供給するクーラント供給機構６で構成されている。
【００３５】
固定砥粒ワイヤ２は、一方のワイヤリール７から繰り出され、トラバーサ８、プーリー９、張力調整機構４を経て、溝付ローラ３、３’に３００〜５００回程度巻掛けられた後、もう一方の張力調整機構４’、プーリー９’、トラバーサ８’を経て、ワイヤリール７’に巻き取られている。
【００３６】
このようなワイヤソー１は、固定砥粒ワイヤ２をその軸方向に往復走行させながら、ワイヤ列３０に対してワークＷを切り込み送りすることにより、ワークＷを軸方向に並ぶ複数の箇所で同時に切断する。固定砥粒ワイヤ２の往復走行は、複数の溝付ローラ３、３’間に巻回された固定砥粒ワイヤ２を一方向へ所定の長さ前進させた後に、他方向へ前述の前進量よりも少ない長さ後退させ、これを一送りサイクルとして、このサイクルを繰り返すことにより、ワイヤを一方向へ送り出す等の方法により行われる。溝付ローラ３’は、巻掛けられた固定砥粒ワイヤ２が、溝付ローラ駆動モータ１０によって予め定められた周期で往復方向に駆動できるようになっている。
【００３７】
また、図２の（ａ）、（ｃ）は、それぞれワークの切断終了時とワーク引き抜き終了時のワークＷと溝付ローラ２０３、２０３’に巻掛けられた固定砥粒ワイヤ２０２の位置関係を示した図である。図２（ａ）に示したように、切断終了時には、ワークＷがワイヤ列よりも下側へ位置している。そのため、ワークＷを取り出すには、ワークＷを上方へ移動させることにより、切断されてウェーハ状となったワークのウェーハ間の隙間を通過させて、固定砥粒ワイヤ２０２を相対的に下側へ引き抜く必要がある。
【００３８】
しかし、従来の固定砥粒ワイヤを用いたワイヤソーの場合、固定砥粒ワイヤ２０２とワークＷとの間にはクリアランスが生じないため（図８の（ｂ）参照）、固定砥粒ワイヤ２０２がワークＷに引っ掛かって、図２（ｂ）に示すように浮き上がり、ワークＷの切断面にソーマークが生じたり、ワイヤ断線が発生したりする。
【００３９】
図３に本発明のワイヤソーで用いることができるワーク保持手段を示す。本発明のワイヤソーは、接合部材２０の一部に砥石２１を有し、砥石２１にワイヤ列を押し付けて固定砥粒ワイヤを往復走行させて固定砥粒ワイヤの固定砥粒を除去する手段を更に具備している。なお、ワーク保持手段１４はワーク保持部１２及びワークプレート１３から構成されたものとすることができる。また、接合部材２０は樹脂２２等によってワークＷを接着することができる。また、固定砥粒を除去する手段は、ワーク送り機構５を用いてワイヤ列３０を砥石２１に押し付ける手段等とすることができる。
【００４０】
また、本発明のワイヤソーは、固定砥粒を除去する時の前記固定砥粒ワイヤのワイヤ速度が１００ｍ／ｍｉｎ．以下であり、かつ、前記ワイヤ列を前記砥石に押し付ける荷重が前記固定砥粒ワイヤ１本当たり３０ｇ以上のものである。
【００４１】
このような本発明のワイヤソー１であれば、固定砥粒ワイヤ２表面の固定砥粒を除去する手段を具備するために、ワークＷとの間に隙間を形成し、かつ、切断能力を持つ固定砥粒を除去することが可能となり、固定砥粒ワイヤ２がワークＷに切り込んでいくことを防止できる。これらにより、ワークＷを固定砥粒ワイヤ２に引っ掛けることなく引き抜くことができ、ワークＷに固定砥粒ワイヤ２が引っ掛かってソーマークが生じたり、固定砥粒ワイヤの断線が発生したりすることを避けることができるものとなる。
【００４２】
ここで、本発明のワイヤソー１における砥石は、固定砥粒ワイヤ２の固定砥粒を除去できるものであれば特に限定されるものではないが、ＷＡ砥石であることが好ましい。このようなものであれば、固定砥粒ワイヤ２表面の固定砥粒を効果的に除去可能となり、固定砥粒ワイヤ２の引っ掛かりの発生をより確実に防止しながら、ワークＷの引き抜きを行うことができる。
【００４３】
また、本発明のワイヤソー１は、固定砥粒を除去する手段により固定砥粒ワイヤ２の固定砥粒を除去した部分で、ワイヤ列３０からワークＷを引き抜くよう制御する制御手段を具備するものであることが好ましい。このようなものであれば、制御手段が、ワークＷを引き抜く箇所が、固定砥粒ワイヤ２表面の固定砥粒が除去した部分となるよう制御するため、固定砥粒ワイヤ２の引っ掛かりの発生をさらに確実に防止しながら、ワークＷの引き抜きを行うことができる。
【００４４】
続いて、本発明のワークの切断方法を、上記本発明のワイヤソーを用いる場合を例に説明する。まず、図１に示すように、表面に砥粒が固着された固定砥粒ワイヤ２を複数の溝付ローラ３、３’に巻掛けることによってワイヤ列３０を形成する。続いて、固定砥粒ワイヤ２を溝付ローラ駆動モータ１０によって、固定砥粒ワイヤ２の軸方向に往復走行させる。そして、固定砥粒ワイヤ２に張力調整機構４、４’を用いて適当な張力をかけて、駆動用モータ１１、１１’により固定砥粒ワイヤ２を往復方向に走行させながら、クーラント供給機構６から供給されたクーラントを供給し、ワーク送り機構５によって、ワイヤ列３０に対して円柱状のワークＷを切り込み送りすることにより、ワークＷを軸方向に並ぶ複数の箇所で同時に切断する。
【００４５】
本発明のワークの切断方法では、ワークＷの切断終了後、かつ、ワイヤ列３０からワークＷを引き抜く前に、ワークＷとワーク保持手段１４の間に設けられた接合部材２０の砥石２１にワイヤ列３０を押し付けて固定砥粒ワイヤ２を往復走行させ、固定砥粒ワイヤ２の固定砥粒を除去する固定砥粒除去工程を有する。
【００４６】
このようなワークの切断方法であれば、ワークの切断終了後、かつ、ワイヤ列からワークを引き抜く前に、固定砥粒ワイヤ表面の固定砥粒を除去することにより、ワークとの間に隙間（クリアランス）を形成することができる。また、切断能力を持つ固定砥粒を除去することで、固定砥粒ワイヤがワークに切り込んでいくことを防止できる。これらにより、ワークを固定砥粒ワイヤに引っ掛けることなく引き抜くことができ、ワークに固定砥粒ワイヤが引っ掛かってソーマークが生じたり、固定砥粒ワイヤの断線が発生したりすることを避けることができる。
【実施例】
【００４７】
以下、実験例、実施例及び比較例を用いて本発明を具体的に説明するが、本発明はこれらに限定されるものではない。
【００４８】
（実験例１）
本発明のワイヤソーと同様のワイヤソーを用い、ワイヤ列を砥石に押し付けて固定砥粒ワイヤを往復運動させた場合のワイヤ外径変化を調査した。このとき、図４に示すような、砥石２２１が貼り付けられたプレート２１３と保持部２１２とからなる保持手段２１４を用いた。また、固定砥粒としてダイヤモンド砥粒が固着された固定砥粒ワイヤを用いた。使用した固定砥粒ワイヤ、砥石、及び、テスト共通条件を下記の表１に示す。
【００４９】
【表１】
2020110886.tif 000003
【００５０】
図４のように、プレート２１３にエポキシ系接着剤で砥石２２１を貼り付けて、固定砥粒ワイヤ２０２を砥石２２１に押し付ける荷重を１２０ｇ／本、ワイヤ往復回数を４００回とした時に、ワイヤ速度を１０〜４００ｍ／ｍｉｎ．に変化させた。
【００５１】
表２に、ワイヤ速度１００ｍ／ｍｉｎ．のワイヤ外径減少量を１００とした時の相対値として、実験例１の結果を示す。
【００５２】
【表２】
2020110886.tif 000004
【００５３】
表２の結果より、ワイヤ速度が１００ｍ／ｍｉｎ．を超えると断線が発生することがわかった。また、往復運動のテスト前後の固定砥粒ワイヤのＳＥＭ観察結果を図５に示す。図５から、往復運動のテスト後（図５（ｂ））は、往復運動のテスト前（図５（ａ））の固定砥粒ワイヤからダイヤモンド砥粒Ｈが除去され、固定砥粒ワイヤの芯線Ｉのみが観測された。このため、ワイヤ外径が減少しているのは、固定砥粒ワイヤ表面のダイヤモンド砥粒Ｈが除去されたためであることが明らかとなった。
【００５４】
（実験例２）
実験例１と同様のワイヤソーを用い、ワイヤ列を砥石に押し付けて固定砥粒ワイヤを往復運動させた場合のワイヤ外径変化を調査した。使用した固定砥粒ワイヤ、砥石、及び、テスト共通条件を下記の表３に示す。砥石の貼付の形態は実験例１と同じである（図４）。
【００５５】
【表３】
2020110886.tif 000005
【００５６】
実験例１の結果を受けて、ワイヤ速度を１００ｍ／ｍｉｎ．に固定し、固定砥粒ワイヤを砥石に押し付ける荷重とワイヤ往復回数を変化させた。
【００５７】
表４に、固定砥粒ワイヤを砥石に押し付ける荷重を１２０ｇ／本、かつ、ワイヤ往復回数を４００回の場合のワイヤ外径減少量を１００とした時の相対値として、実験例２の結果を示す。
【００５８】
【表４】
2020110886.tif 000006
【００５９】
表４の結果より、固定砥粒ワイヤを砥石に押し付ける荷重が３０ｇ／本以上でないと、ワイヤ線径は減少しない、すなわち、ダイヤモンド砥粒が十分に除去されないことが明らかとなった。また、荷重が１２０ｇ、２４０ｇの場合に、ワイヤ往復回数を増やしてもワイヤ外径減少量がほとんど変わらなかったことから、ダイヤモンド砥粒除去後のワイヤ芯線の摩耗は進行しにくく、本発明の実施中での断線の可能性は非常に低いといえる。
【００６０】
（実施例及び比較例）
実施例として、本発明のワイヤソー及びワークの切断方法を用いて、ワークの切断及びワーク引き抜きを行った。また、比較例として、通常のワーク切断方法を用いてワークの切断及びワーク引き抜きを行った。これらの実施例及び比較例で切断するワークとしては、直径約３０１ｍｍの円柱状シリコン単結晶インゴットを用いた。表５に実施例及び比較例のテスト条件を示す。
【００６１】
【表５】
2020110886.tif 000007
【００６２】
実施例では、図３に示すように、樹脂２２とワークプレート１３の間に砥石２１を配した。一方で、比較例では、図９に示すように、ワークプレート１１３に接合部材として樹脂１２２のみを接着した。ワークＷ、Ｗ’は、エポキシ系接着剤で接合部材と貼り合わせた。
【００６３】
実施例では、ワーク切断後に、砥石に固定砥粒ワイヤを押し付けて往復運動をさせてからワークの引き抜きを行った。比較例では、ワーク切断後すぐにワークの引き抜きを行った。表６に実施例及び比較例の結果を示す。
【００６４】
【表６】
2020110886.tif 000008
【００６５】
実施例及び比較例の結果、表６のように、実施例では、ワークの引き抜き時に固定砥粒ワイヤの断線は発生せず、また、切り出されたウェーハの主表面にはソーマークは確認されなかった。一方で、比較例では、引き抜き時に固定砥粒ワイヤの断線が発生し、また、切り出されたウェーハの主表面にはソーマークが確認された。
【００６６】
以上の実験例、実施例、比較例の結果から、本発明のワイヤソー及びワークの切断方法であれば、ワークを固定砥粒ワイヤに引っ掛けることなく引き抜くことができ、ワークに固定砥粒ワイヤが引っ掛かってソーマークが生じたり、固定砥粒ワイヤの断線が発生したりすることを避けることができることが明らかとなった。
【００６７】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００６８】
１、１０１…ワイヤソー、
２、２０２、４０２…固定砥粒ワイヤ、  １０２…ワイヤ、
３、３’、１０３、１０３’、２０３、２０３’…溝付ローラ、
４、４’、１０４、１０４’…張力調整機構、  ５、１０５…ワーク送り機構、
６…クーラント供給機構、  １０６…スラリ供給機構、
７、７’、１０７、１０７’…ワイヤリール、
８、８’、１０８、１０８’…トラバーサ、
９、９’、１０９、１０９’…プーリー、
１０、１１０…溝付ローラ駆動モータ、
１１、１１’、１１１、１１１’…駆動用モータ、
１２、１１２…ワーク保持部、  ２１２…保持部、
１３、１１３…ワークプレート、  ２１３…プレート、
１４、１１４…ワーク保持手段、  ２１４…保持手段、
２０、１２０…接合部材、  ２１、２２１…砥石、  ２２、１２２…樹脂、
３０、１３０…ワイヤ列、
Ｗ、Ｗ’…ワーク、  Ｇ…遊離砥粒、Ｈ…ダイヤモンド砥粒、  Ｉ…芯線。
【図１】
2020110886.tif 000009
【図２】
2020110886.tif 000010
【図３】
2020110886.tif 000011
【図４】
2020110886.tif 000012
【図５】
2020110886.tif 000013
【図６】
2020110886.tif 000014
【図７】
2020110886.tif 000015
【図８】
2020110886.tif 000016
【図９】
2020110886.tif 000017